(57)【要約】      （修正有）【課題】長期間保管に適した収納袋を提供する。【解決手段】本発明の収納袋１は、フィルム状袋２と、フィルム状袋２を収納する内袋４と、内袋４を収納する外袋６とを有する。外袋６は、上縁の対向する位置に、該上縁を互いに留める結束バンド２０を備え、結束バンド２０によって対向する上縁が互いに留められた状態では、結束バンド２０の両側に、外袋６の内部にアクセス可能な開口が形成されるようになっており、開口から内袋４の持ち手１８が収納袋１の外部に突出可能となっている。【選択図】図１
2013023268.tif 000002
【特許請求の範囲】
【請求項１】
袋状に形成されるとともに内部に内袋を収容可能な外袋を有し、
前記外袋は、上縁の対向する位置に、該上縁を互いに留める留め手段を備え、
前記留め手段によって対向する上縁が互いに留められた状態では、前記留め手段の両側に、前記外袋の内部にアクセス可能な開口が形成されるようになっている、
ことを特徴とする収納袋。
【請求項２】
前記外袋の内部に収容可能な内袋を更に有し、
前記内袋は、該内袋を持ち上げられるように持ち手を備え、
前記持ち手は、前記外袋の前記留め手段で上縁が互いに留められた状態で、前記開口を通して前記外袋の外部に突出可能となっている、
請求項１に記載の収納袋。
【請求項３】
前記内袋の内部に収容可能な非透水性のフィルム状袋を更に有する、
請求項２に記載の収納袋。
【請求項４】
前記フィルム状袋内には、吸水性材料が収納されている、
請求項３に記載の収納袋。
【請求項５】
前記外袋内面には、水溶性ポリマーの層が形成されている、
請求項１から請求項３のいずれか１項に記載の収納袋。
【発明の詳細な説明】
【技術分野】
【０００１】
本発明は、収納袋に関し、特に、例えば土砂や汚泥等を収納する収納袋に関する。
【背景技術】
【０００２】
土砂や汚泥等を収納する土嚢袋としては、例えば特許文献１に記載されるように、袋に吊り上げ用の吊り帯を装着したものが知られている。この土嚢袋は、内部に土砂等を収納することができ、吊り帯をクレーン等で吊り上げることにより、土嚢袋を移動させることができる。
【先行技術文献】
【特許文献】
【０００３】
【特許文献１】特開２００８−２２３２４８号公報
【発明の概要】
【発明が解決しようとする課題】
【０００４】
このような土嚢袋は、土砂を収納して盛土に使用する他、汚泥や食料、その他様々なものを収納して保管用の袋として使用する場合がある。しかしながら、前述のような構造の土嚢袋では、長期間、特に屋外において保管すると、袋だけでなく吊り帯も劣化してしまい、土嚢袋をクレーン等で吊り上げることができない。したがって、このような土嚢袋は、長期保管用には不向きである。
【０００５】
本発明の目的は、長期間保管に適した収納袋を提供することにある。
【課題を解決するための手段】
【０００６】
上記の目的を達成するために、本発明の収納袋は、袋状に形成されるとともに内部に内袋を収容可能な外袋を有し、外袋は、上縁の対向する位置に、該上縁を互いに留める留め手段を備え、留め手段によって対向する上縁が互いに留められた状態では、留め手段の両側に、外袋の内部にアクセス可能な開口が形成されるようになっている、ことを特徴としている。
【０００７】
このように構成された本発明においては、外袋が、内部に内袋を収容可能となっているので、例えば内袋が収容された状態では、内袋が保護される。したがって、内袋を長期間保管した場合でも、内袋の劣化が防止される。したがって長期間保管した後に、収納袋を他の場所に移動させることが可能となる。また、外袋が留め手段で上縁が互いに留められた状態で、留め手段の両側に開口が形成されるので、例えば外袋の内部に内袋が収容されている状態では、開口から内袋にアクセスすることが可能になる。したがって、内袋に吊り帯がついている場合には、開口から内袋の吊り帯を取り出し、内袋を吊り上げることも可能となる。その際、留め手段によって外袋の対向する上縁が互いに留められているので、外袋が内袋から外れてしまうのを防止することができ、移動作業が容易になる。
【０００８】
本発明において、好ましくは、外袋の内部に収容可能な内袋を更に有し、内袋は、該内袋を持ち上げられるように持ち手を有し、持ち手は、外袋の留め手段で上縁が互いに留められた状態で、開口を通して外袋の外部に突出可能となっている。
このように構成された本発明においては、内袋の持ち手が開口を通して外袋の外部に突出可能となっているので、外袋を内袋から外すことなく、内袋の持ち手を操作して、収納袋を移動させることが可能になる。またこの時、留め手段によって外袋の対向する上縁が互いに留められているので、外袋が内袋から外れてしまうのを防止することができ、移動作業が容易になる。
【０００９】
本発明において、好ましくは、内袋の内部に収容可能な非透水性のフィルム状袋を更に有する。
このように構成された本発明においては、内袋の内部に非透水性のフィルム状袋が設けられているので、フィルム状袋内部の収納物が雨水やほこり等から保護され、より長期間の保管が可能になる。
【００１０】
本発明において、好ましくは、フィルム状袋内には、吸水性材料が収納されている。
このように構成された本発明においては、フィルム状袋内に吸水性材料が収納されているので、フィルム状袋が長期間の保管によって破れた場合でも、内部の収納物の水分が外にしみ出すのが防止される。
【００１１】
本発明において、好ましくは、外袋内面には、水溶性ポリマーの層が形成されている。
このように構成された本発明においては、外袋の内面に水溶性ポリマーの層が形成されているので、外袋を含む収納袋を現地に設置して収納物を収納した後、水溶性ポリマーに水を含ませることによって外袋内面に水の層が形成される。この水の層により、収納物による外部の影響が抑制される。
【図面の簡単な説明】
【００１２】
【図１】本発明の第１実施形態に係る収納袋の斜視図である。
【図２】本発明の第１実施形態に係る収納袋の使用方法を示す図である。
【図３】本発明の第１実施形態に係る収納袋の使用方法を示す図である。
【図４】本発明の第１実施形態に係る収納袋の使用方法を示す図である。
【図５】本発明の第１実施形態に係る収納袋の使用方法を示す図である。
【図６】本発明の第１実施形態に係る収納袋の使用方法を示す図である。
【図７】本発明の第１実施形態に係る収納袋の移動方法を示す図である。
【図８】本発明の第２実施形態に係る外袋の断面図である。
【発明を実施するための形態】
【００１３】
以下、本発明の好ましい実施形態を添付図面を参照して説明する。なお、第２実施形態以降では、第１実施形態と同様の構成には、図面に第１実施形態と同一符号を付し、その説明を簡略化または省略する。
【００１４】
［第１実施形態］
図１は、本発明の第１実施形態に係る収納袋１の斜視図である。この図１に示すように、本発明の第１実施形態に係る収納袋１は、土砂、汚泥、食料等の任意の収納物を収納するフィルム状袋２と、フィルム状袋２を内部に収納可能となっている内袋４と、内袋４を内部に収納可能となっている外袋６と、を備える。
【００１５】
フィルム状袋２は、気密フィルム、例えば軟質ポリオレフィン等の気密フィルムで作られており、上方が開口した円柱の袋状に形成されている。フィルム状袋２の上部周面外側には、フィルム状袋２の開口を閉じるための絞り紐８が取り付けられている。
また、フィルム状袋２内部には、例えば水溶性ポリマー等の吸水材を収納した、ビニール等で作られた袋１０が収容されている。なお、この吸水材を収納した袋１０は、任意の構成であり、水漏れをより確実に防ぎたい場合には収容されることが好ましいが、収納物の水分が少ない場合や、外部からの水分の染みこみの心配が少ない環境で保管される場合等には、収容されていなくてもよい。
【００１６】
内袋４は、円柱の袋状に形成された本体１２と、本体１２に取り付けられた吊りベルト１４と、を備える。本体１２は、例えばポリエステル、ポリプロピレン等のある程度耐久性に優れた材料で作られており、上部周面外側には、内袋４の開口を閉じるための縛り紐１６が取り付けられている。
吊りベルト１４は、本体１２の底面において十字型に配置され、本体１２の周面においては４本の吊りベルト１４が周方向に等間隔に、上下方向に沿って配置されている。吊りベルト１４は、本体１２の底面及び周面下部において、縫いつけ、接着等によって固定されている。吊りベルト１４は、本体１２の周面上部において本体１２に固定されておらず、周面に配置された４本の吊りベルト１４のうちの２本ずつが本体１２の開口より上方で連続する（接続する）ことにより、２つの持ち手１８を形成している。この吊りベルト１４の２つの持ち手１８を引っかけてクレーン等で内袋４を持ち上げることが可能となっている。
【００１７】
外袋６は、屋外等の厳しい外部環境のもとでも長期保管が可能な材料で作られており、そのような材料としては、例えばポリエチレン繊維の紐状部材を編んで布状に形成したものにポリエチレンフィルムをコーティングした材料等が使用できる。また、外袋６の材料としては、例えば引張強度が、縦方向で１７００Ｎ／５ｃｍ以上、横方向で１６００Ｎ／５ｃｍ以上、破断伸度が、縦方向、横方向共に１２％以上、引裂強度が、縦方向で２３０Ｎ以上、横方向で２１０Ｎ以上の材料が採用できる。外袋６の外面には酸化チタン被膜が形成され、内面にはアルミ蒸着が施されており、これにより、高強度、高ＵＶ耐候性が確保される。
外袋６は、略直方体の袋状に形成されており、上縁において、一方の対向する辺の略中央に、対向する上縁を互いに留める留め手段として結束バンド２０が取り付けられている。また、結束バンド２０が取り付けられている辺に隣接する、他方の対向する辺には、上縁に沿って複数のはとめ２２が設けられている。
【００１８】
このような構造の本実施形態に係る収納袋１には、次のような手順で土砂等の内容物を収納する。
図２から図６は、本実施形態に係る収納袋１の使用方法を示す。まず、前述の図１に示すフィルム状袋２を内袋４の内部に収納し、内袋４を外袋６の内部に収容して、図２に示すように、３重構造の収納袋１を形成する。そして、図３に示すように、収納袋１の周囲に、収納袋１の上縁を開口させた状態で保持するための仮設枠２４を設置する。内袋４の持ち手１８を収納袋１の外部に出して、仮設枠２４に固定することにより、内袋４を地面から若干浮かせた状態でセットする。この状態で、建機等で土砂等の内容物を搬入し、フィルム状袋２に充填する。このとき、フィルム状袋２の内部には、吸水材を収納した袋１０が配置されているが、内容物が収納されるときに、袋１０が破れ、吸水材がフィルム状袋２の底部に分散される。
【００１９】
フィルム状袋２に内容物を充填した後、仮設枠２４を外し、図４に示すように、フィルム状袋２の上部開口を縛り紐８で閉じる。その後、図５に示すように、内袋４の上部開口も縛り紐１６で閉じ、更に外袋６の結束バンド２０で外袋６の対向する辺の略中央において対向する位置を互いに留める。この状態では、外袋６の結束バンド２０の両側には、外袋６の上縁によって形成された２つの開口２６が形成される。これらの開口２６からは、内袋４の持ち手１８が収納袋１の外部に突出可能となっている。
【００２０】
次に、図６に示すように、内袋４の持ち手１８を外袋６内に収納し、その後、外袋６のはとめ２２にラッキングロープ２８を通して、外袋６の開口を閉じる。
以上のようにして、収納袋１に内容物を収納し、収納袋１を閉じる。収納袋１を閉じた状態では内袋４の本体１２も持ち手１８も外袋６内に収納され、収納袋１を屋外で保管しても、内袋４が風雨や紫外線に曝されない。また、内容物から水分が出た場合には、フィルム状袋２の底部に分散されている吸水材がその水分を吸収する。
【００２１】
長期間保管の間に、収納袋１を別の場所に移動させる必要が生じた場合には、以下のようにして作業を行う。
図７は、本実施形態に係る収納袋１の移動方法を示す。収納袋１を移動させる場合には、先ず、外袋６のラッキングロープ２８を外して、図７に示すように、外袋６の上縁に２つの開口２６を作り、各開口２６からそれぞれ内袋４の持ち手１８を突出させる。そして、この持ち手１８をクレーン等に引っかけ、収納袋１を持ち上げる。この時、外袋６の結束バンド２０は互いに上縁を留めたままになっているので、内袋４を持ち上げても、外袋６が外れることがない。
クレーン等で収納袋１を所望の場所に移動させた後、内袋４の持ち手１８を外袋６内に収納し、その後ラッキングロープ２８を外袋６のはとめ２２に通し、図６に示すように外袋６を再び閉じる。
【００２２】
このように構成された本実施形態によれば、次のような優れた効果を得ることができる。
収納袋１が、内袋４を収納する外袋６を有しているので、収納袋１を長期間屋外で保管した場合でも、内袋４が劣化するのを防止することができる。したがって、内袋４の持ち手１８の劣化も防止することができ、長期間保管後に収納袋１を他の場所に移動させる場合に、持ち手１８で収納袋１を吊って移動させることができる。
【００２３】
外袋６の上縁に結束バンド２０を設けたので、結束バンド２０を互いに留めた状態では、内袋４の持ち手で収納袋１を吊った際に、外袋６が抜け落ちてしまうことがない。したがって、内袋４の劣化を防止しながら、収納袋１の移動を行う際の作業を簡単に行うことができる。また、結束バンド２０を互いに留めた状態では、結束バンド２０の両側に開口２６が形成される。これらの開口２６から内袋４にアクセスすることができるから、収納袋１の移動作業を簡単に行うことができる。また、内袋４の持ち手１８を開口２６から外部に突出させることができるので、外袋６を内袋４の外側に装着したまま、移動作業を行うことができ、移動作業を簡便に行うことができる。
【００２４】
内袋４の内部に非透水性のフィルム状袋２が収納されているので、土砂等の内容物の水分が外部に染み出すのを防止することができる。また、収納袋１を屋外に保管する場合には、雨水が内容物に染み込むのを防止することができる。このような非透水性のフィルム状袋２は、外部に流れ出すのを防止する必要がある内容物、例えば放射性物質を含む汚泥や化学物質を含む土砂等の収納に適している。
【００２５】
フィルム状袋２の内部に吸水材を収納した袋１０が配置されているので、内容物の水分を吸収することができ、もしフィルム状袋２が破損した場合でも、水分が外部に染み出すのを防止することができる。また、もしフィルム状袋２が破損した場合にも、フィルム状袋２外部からの水分を吸水材が吸収するので、水分が内容物に染み込むのを防止することができる。
【００２６】
［第２実施形態］
次に、本発明の第２実施形態に係る収納袋５０について説明する。本実施形態に係る収納袋５０は、外袋５２の構造が第１実施形態と異なる他は、第１実施形態に係る収納袋１と同様の構造を有する。
図８は、本発明の第２実施形態に係る収納袋５０の外袋５２の断面図である。外袋５２は外シート５４及び内シート５６を備えた２重構造となっており、外シート５４と内シート５６との間には、水溶性ポリマーが充填されている。このような構造により、外シート５４と内シート５６との間には、水溶性ポリマーの層５８が形成される。
【００２７】
このような外袋５２を用いて土砂等の内容物を収納する際には、第１実施形態と同様にフィルム状袋２に内容物を収納し、フィルム状袋２を閉じ、内袋４を閉じる。その後、外袋５２の外シート５４及び内シート５６の間に水を充填する。外シート５４と内シート５６との間には水溶性ポリマーが充填されているので、水溶性ポリマーが保水し、外シート５４及び内シート５６の間には、水の層が形成される。本実施形態では、水の層は約３０〜５０ｍｍの厚みとなる。
【００２８】
このように構成された本実施形態によれば、第１実施形態と同様の効果が得られる他、次のような効果が得られる。
外袋５２に水溶性ポリマーの層が形成されているので、外袋５２の内面に水の層を形成することができる。この水の層によって外袋５２に遮蔽壁が形成されるから、内容物による外部への影響、または外部からの内容物への影響を抑制することができる。これは特に、例えば内容物が放射性物質を含む汚泥である場合に、水の層が遮蔽壁となって放射能の外部への放出を防止するので、効果的である。
【００２９】
外袋５２を含む収納袋１を現地に設置して内容物を収納してから水をかけることによって水の層を形成することができるから、現地に運ぶまでの収納袋１の軽量化を図ることができる。例えば内容物が放射性物質を含む汚泥である場合、外袋５２の内側に鉛シートを配置する等して放射能の放出を抑制する手法が考えられるが、鉛シートは高価である上、重量があり、取扱いが難しい。これに対して、本実施形態の外袋５２では、水溶性ポリマーの層５８が形成されているので現地に設置して内容物を収納するまでは収納袋１を比較的軽くすることができ、その後水を充填することによって所望の遮蔽性能を得ることができる。
【００３０】
本発明は、以上の実施の形態に限定されることなく、例えば、第２実施形態の外袋５２では、水の層を形成することによって遮蔽壁を形成したが、これに限らず、例えば外袋の内側に鉛の層を形成したり、外袋と内袋との間に鉛のシートを配置したりしてもよい。
外袋の互いに対向する位置を留める留め手段として結束バンド２０が用いられていたが、これに限らず、例えばクリップ止め、はとめ及びロープ等任意の締結手段を採用することができる。
【００３１】
留め手段は、前述の実施形態では対向する辺の略中央に１箇所設けられていたが、これに限らず、外袋の上縁の対向する位置に任意の数設けられていてよい。また、留め手段は、前述の実施形態では、対向する２つの上縁を互いに留める構造となっていたが、これに限らず、例えば対向する３つ以上の上縁を互いに留める構造でもよい。その場合には、例えば、留め手段が対向する３つの上縁を互いに留めるものである場合、留め手段の外側に３つの開口が形成される。
【符号の説明】
【００３２】
１  収納袋
２  フィルム状袋
４  内袋
６  外袋
１０  袋
１８  持ち手
２０  結束バンド
２６  開口
【図１】
2013023268.tif 000003
【図２】
2013023268.tif 000004
【図３】
2013023268.tif 000005
【図４】
2013023268.tif 000006
【図５】
2013023268.tif 000007
【図６】
2013023268.tif 000008
【図７】
2013023268.tif 000009
【図８】
2013023268.tif 000010